(57)【要約】【課題】光学エンジンケース内部の特定の光学部品に塵埃が付着するのを防止して投写映像の品位悪化や映像の輝度低下を防止させ、長時間、良好な性能が維持できる投写型映像表示装置及び光学エンジンケースを提供する。【解決手段】複数のレンズを含む光学部品を配置した光学エンジンケースと、前記光学エンジンケース内の、光源である白色光から第一色を分光するダイクロイックミラーと、第一色を分光した後、第二色と第三色に分光するダイクロイックミラーと前記光学エンジンケースとで囲まれた領域内の前記光学エンジンケースに開口部を設け、光学エンジンケース内の空気を効率良く排出させる。【選択図】図４
2010250077.tif 000002
【特許請求の範囲】
【請求項１】
光源から出射した光束を照明光学系によって映像表示素子に照射し、当該映像表示素子で当該光束を変調し得られた映像光を、投写レンズにより拡大投影する投写型映像表示装置において、
前記光源からの光束を前記映像表示素子に導く光路を形成し、当該光路に複数のレンズを含む光学部品が配置された光学エンジンケースを有し、
前記光学エンジンケース内であって、前記光源から出射された光束から第一色を分光する第１のダイクロイックミラーと、
第一色を分光した後、第二色と第三色に分光する第２のダイクロイックミラーと、
前記光学エンジンケースと
で囲まれる領域の前記光学エンジンケースに開口部を設けた
ことを特徴とする投写型映像表示装置。
【請求項２】
請求項１に記載した投写型映像表示装置において、
前記開口部の寸法が以下の関係を有する
ことを特徴とする投写型映像表示装置。
Ｌ0／３  ≦  Ｌ1  ≦  Ｌ0
Ｈ0／３  ≦  Ｈ1  ≦  Ｈ0／２
ここで、前記パラメータは、以下である。
Ｌ1：前記開口部の幅
Ｈ1：前記開口部の高さ
Ｈ0：第１のダイクロイックミラーの高さ
Ｌ0：第１のダイクロイックミラーと第２のダイクロイックミラーとの間の長さ
【請求項３】
請求項１に記載した投写型映像表示装置において、
前記開口部を前記光学エンジンケース上面または下面に
設けた
ことを特徴とする投写型映像表示装置。
【請求項４】
請求項１に記載した投写型映像表示装置において、
前記光学エンジンケース内の前記囲まれる領域であって、
前記第１のダイクロイックミラーの近傍の前記光学エンジンケースの有する面に開口部を設けた
ことを特徴とする投写型映像表示装置。
【請求項５】
請求項１に記載した投写型映像表示装置において、
前記光学エンジンケース内の前記囲まれる領域であって、
前記光学エンジンケース下面近傍の前記光学エンジンケースの有する面に開口部を設けた
ことを特徴とする投写型映像表示装置。
【請求項６】
請求項１に記載した投写型映像表示装置において、
前記光学エンジンケース内の前記囲まれる領域であって、
前記光学エンジンケース上面近傍の前記光学エンジンケースの有する面に開口部を設けた
ことを特徴とする投写型映像表示装置。
【請求項７】
請求項１に記載した投写型映像表示装置において、
前記照明光学系の前記光源から出射した光束の光軸に対して、
前記投写レンズが配置される側とは反対の側に前記開口部を設けた
ことを特徴とする投写型映像表示装置。
【請求項８】
請求項７に記載した投写型映像表示装置において、
前記開口部が前記照明光学系の前記光源から出射した光束の光軸に対して、
前記投写レンズが配置される側に変えて設けられる
ことを特徴とする投写型映像表示装置。
【請求項９】
請求項１に記載した投写型映像表示装置において、
前記投写型映像表示装置の筐体面と前記開口部とが対面する位置であって、前記筐体面と前記開口部との間に前記開口部からの漏れ光を遮光する遮光板を配置した
ことを特徴とする投写型映像表示装置。
【発明の詳細な説明】
【技術分野】
【０００１】
本発明は、液晶パネルと照明光学系を具備し、該照明光学系により得られた光束を液晶パネルにより変調し、スクリーン上に映像を投影する投写型映像表示装置に係り、特に光学系に塵埃を付着させない構成を備えた投写型映像表示装置に関するものである。
【背景技術】
【０００２】
従来、投写型映像表示装置として液晶プロジェクタが普及している。この液晶プロジェクタは、光源からの光を液晶パネルに照射し、液晶パネルをテレビジョン信号やパソコン等からの情報信号に基づいて駆動することで、液晶パネルから変調された光を出射し、投写レンズを介してスクリーンに拡大された映像を投写するものである。
【０００３】
またカラー表示用投写装置の場合は、三枚の液晶パネルを備え、光源からの光（白色光）をダイクロイックミラーを用いてＲ（赤）、Ｇ（緑）、Ｂ（青）の三原色光に分光し、Ｒ，Ｇ，Ｂ光をそれぞれＲ，Ｇ，Ｂ用の液晶パネルに照射し、各液晶パネルから変調されたＲ，Ｇ，Ｂ光を出射し、合成プリズムによって再度光合成した後、投写レンズを介してスクリーンに映像を拡大投写するようにしている。
【０００４】
前記光源から液晶パネルに至る光路上には、ダイクロイックミラーや、マルチレンズアレイ、リレーレンズ、コンデンサレンズ等の光学部品が配置され、これら光学部品及び液晶パネルは光学エンジンケース内に配置され、外界からの塵や埃が付着しないようにしている。
【０００５】
しかしながら、塵埃の付着を完全に防止することは困難であり、光学エンジンケース内部の特定光学部品に塵埃が付くと、この塵埃によって投写映像に影が映り、表示品位が悪くなったり、短時間でスクリーン輝度が低下して使用に支障を来たすことが予想される。一般的に、初期的に付着したものは製造段階で取ることができるが、完成品となった後に付いた塵埃は除去が困難である。
【０００６】
一般にカラー投写装置の場合、光源から液晶パネルまでの光路長はＲ，Ｇ，Ｂそれぞれ等しくするのが望ましいが、構造上、特定光の光路長が長くなる場合、リレーレンズを配置して液晶パネルへの集光作用や結像作用を改善し、Ｒ，Ｇ，Ｂの各光量を最適化している。そしてこのリレーレンズに塵埃が付着した場合には、集光作用により液晶パネル面に塵埃による影が結像し、投写映像には液晶パネルに表示された映像以外の像が影のように映し出されることが予想される。
【０００７】
また、各光学部品の透過及び反射の有効領域内の表面に塵埃が付着すると、スクリーン上に投写される映像の輝度が低下する可能性がある。
【０００８】
通常、光学部品は光学エンジンケース内部に配置されているが、これらに一旦塵埃が付着すると、光学エンジンケースを開けることなしに塵埃を除去することは困難であり、製品となった後は、製品を分解することなしに取り除くことも困難である。この部分の塵埃が取り除けないと、投写映像において塵埃がはっきりと見えたり、表示品位の低下を招く可能性がある。また、塵埃の多い環境で製品を使用した場合、短時間でスクリーン上に投写される映像の輝度が低下することがあり、その場合には、早期のメンテナンスが必要となる。
【０００９】
前記塵埃の除去に関し、例えば、特許文献１には、液晶プロジェクタのＬＣＤパネルにエアスプレーのノズルから噴射したエアを吹きつけ、ＬＣＤパネルに付着した塵埃を除去するようにした例が示されている。また、特許文献２には、空気ダクトからの空気を投写レンズの表面に吹きつけ、投写レンズに付着した塵埃を吹き飛ばすようにした例が示されている。
【００１０】
しかしながら、このような例であってもリレーレンズ等の特定の光学部品に塵埃が付着した塵埃は除去することは困難である。
【先行技術文献】
【特許文献】
【００１１】
【特許文献１】特開２００３−１８６１１４号公報
【特許文献２】特開平１１−１０３４３５号公報
【発明の概要】
【発明が解決しようとする課題】
【００１２】
従来の投写型映像表示装置は、光学エンジンケース内部の特定の光学部品、例えばリレーレンズに塵埃が付くと、このリレーレンズの集光作用により液晶パネル面に塵埃による影が結像し、投写映像に映像以外の像が影のように映し出されてしまうことがある。更に光学エンジンケース内部に塵埃を含んだ冷却風が漏れ込んで澱んでしまう場合には、短時間で光学部品に塵埃が付着してしまうことが考えられる。
【００１３】
また、液晶パネルや投写レンズに塵埃が付着した場合に、エアを吹きつけ、塵埃を吹き飛ばすようにした例もあるが、リレーレンズ等の特定の光学部品に塵埃が付着した塵埃は除去することは困難であり、投写レンズのジャストフォーカス時に塵埃にもフォーカスが合ってしまい、投写映像の中に塵埃による影が投影されると、、映像品位の低下を招く可能性があり、この場合は、問題点となることが予想される。
【００１４】
本発明は、光学エンジンケース内部の特定の光学部品に塵埃が付着するのを改善、防止し、投写映像の品位悪化、投写映像の輝度低下を改善、防止する投写型映像表示装置及び光学エンジンケースを提供することを目的とする。
【課題を解決するための手段】
【００１５】
前記目的を達成するための本発明では、光源と、この光源からの光が照射される液晶パネル（若しくは、映像表示素子）を有し、前記液晶パネルから出射される映像光を投写するようにした投写型映像表示装置において、前記光源から光を前記液晶パネルに導く光路を形成するとともに、この光路内に複数のレンズを含む光学部品を配置した光学エンジンケースと、前記光学エンジンケース内の特定の領域、つまり光源からの光束から第一色を分光する第１のダイクロイックミラーと、第一色を分光した後、第二色と第三色に分光する第２のダイクロイックミラーと光学エンジンケースとで囲まれた領域内において、光学エンジンケースが有する面に開口部を設けるようにする。当該開口部では、光学エンジンケース内の流速の小さい空気を、風速を上げて排出させるように構成することで光学部品の汚れを低減、防止するようにする。
【発明の効果】
【００１６】
本発明の投写型映像表示装置によれば、光学エンジンケース内部の光学部品に塵埃が付着するのを改善、防止し、投写映像の品位悪化、映像の輝度低下を改善、防止させることを可能とする。更に長時間、良好な性能が維持できる投写型映像表示装置及び光学エンジンケースを提供することが可能となる。
【図面の簡単な説明】
【００１７】
【図１】本発明の実施の形態になる投写型映像表示装置の外観を示す全体斜視図である。
【図２】本発明の実施の形態になる投写型映像表示装置の内部における照明光学系の配置及び作用を説明する図である。
【図３】本発明の実施の形態になる投写型映像表示装置の内部における液晶パネル及びその周辺の冷却風の流れを示す斜視図である。
【図４】本発明の実施の形態になる投写型映像表示装置の内部の冷却風の流れを示す斜視図である。
【図５】本発明の実施の形態になる投写型映像表示装置の光学エンジンケース内の偏光変換素子周辺及び光源ユニットの冷却風の流れを示す斜視図である。
【図６】本発明の実施の形態になる投写型映像表示装置の光学エンジンケース内の偏光変換素子周辺及び光源ユニットの冷却風の流れを示す断面図（図５のＶ−Ｖ断面）である。
【発明を実施するための最良の形態】
【００１８】
以下、本発明の実施の形態についての最良の形態について、添付の図面を参照しながら説明する。なお、各図において、共通な機能を有する要素は、同一符号を付して示し、かつ、一度説明したものについては、その後、その説明を省略する。
【００１９】
図１は、本発明の実施の形態についての投写型映像表示装置の内部における液晶パネル及びその周辺の冷却風の流れを示す斜視図である。図において、当該投写型映像表示装置の筐体１０の内部には、液晶パネルに光を効率よく照射するための照明光学系（ここでは図示せず）が設けられており、そして、この照明光学系を構成する部材の一部と共に前記の液晶パネルを冷却するため、外気を吸入する冷却風取り込み口１２が筐体１０の一部に形成された構成となっている。
【００２０】
なお、前記の冷却風取り込み口１２には、ここでは図示しないファンと共に、塵埃除去フィルタの奥行き方向に、取り付け位置を規定するための位置決め（図示せず）を設けており、これにより、塵埃除去フィルタ（図示せず）の挿入後に、メッシュ状のカバー１３により装置の一部と一体化させ、保持・固定する構成となっている。一方、筐体１０からの排気は、ランプ取り出し部１１の奥側（図示せず）に排気口を設け、当該ランプを冷却した風を筐体１０の外部に排気するようになっている。
【００２１】
次に、冷却用ファンを含めた投写型映像表示装置の実施の形態の内部における照明光学系の配置及び作用について図２を用いて説明する。
【００２２】
図２において、光源ユニットケース６００に保持された光源ユニット１０１から出射した光束は、ＵＶカットフィルタ１０２でその紫外線がカットされ、インテグレータとしての一対のマルチレンズアレイ１０３ａ、１０３ｂに入射する。なお、通常、紫外線カットは、他の光学素子でも行うが、赤外線カットも含め、本実施の形態例の要点ではないことから、ここでは、その詳しい記載は省略する。
【００２３】
マルチレンズアレイ１０３ａ、１０３ｂには、凸レンズ（セル）が二次元状に配置されており、マルチレンズアレイ１０３ａに入射した光束は、マルチレンズアレイ１０３ｂの各セルに光源像を二次元状に形成する。それぞれ集光した光源像は、偏光変換素子１０４により、自然光から振動方向が一定方向の直線偏光に変換される。これは、後述する液晶パネル１２２ａ、１２２ｂ、１２２ｃが、振動方向が一定方向の直線偏光のみしか通過させないからである。また、マルチレンズアレイ１０３ａ、１０３ｂで二次元状に分割された光源像は、重畳作用を有する重畳レンズ１０５の働きにより、液晶パネル１２２ａ、１２２ｂ、１２２ｃの映像表示面上に重畳される。なお、光は、前記重畳レンズ１０５と液晶パネル１２２ａ、１２２ｂ、１２２ｃとの間にある色分解光学系により、赤色・緑色・青色の３色に分解される。
【００２４】
重畳レンズ１０５を通り、偏光方向が一定の光束は、先ず、第１のダイクロイックミラー１０７ａによって、その青色の光束が反射するが、他方、赤色と緑色の光束は透過される。青色の光束は、その後、全反射ミラー１０６ｂで反射され、更に、コンデンサレンズ１０８ｂを経て、青色用の液晶パネル１２２ｂに照射される。赤色と緑色の光束は、第２のダイクロイックミラー１０７ｂによって、緑色の光束が反射され、他方、赤色の光束は透過する。緑色の光束は、コンデンサレンズ１０８ａを経て、緑色用の液晶パネル１２２ａに照射される。赤色の光束は、全反射ミラー１０６ｃ、１０６ｄで反射され、コンデンサレンズ１０８ｃを経て、赤色用の液晶パネル１１２ｃに照射される。なお、赤色光の光路はその光路長が青色や緑色より長いことから、リレーレンズ１０９、１１０を用いて、更に写像されている。
【００２５】
以上のようにして、青色用の液晶パネル１２２ｂと、緑色用の液晶パネル１２２ａと、赤色用の液晶パネル１２２ｃとに照射された各光束は、その後、クロスプリズム１１１により色合成され、投写レンズ１２０に入射する。
【００２６】
なお、以上の照明光学系の原理説明において、実際の照明光学系に存在する所定の偏光光線以外の光線をカットする偏光板、各色の偏光光線の振動方向を制御する位相差板などについては、本実施の形態の要点ではないことから、ここでは、その詳しい記載は省略する。
【００２７】
次に、図３は本実施の形態の投写型映像表示装置の内部における液晶パネル及びその周辺の冷却風の流れを示す斜視図である。図において、装置本体に取り付けられ、機械式の塵埃除去フィルタ１を通過した空気は、冷却ファン１１２ｂ（ここでは図示せず）により、ダクト１１３を通して、液晶パネルや偏光板（ここでは図示せず）を冷却する。また、集塵フィルタ収納部２０は、装置内部にネジ止め、又は、接着・固定される。
【００２８】
図３は、本実施の形態の投写型映像表示装置において、塵埃除去フィルタ（ここでは図示せず）を収める集塵フィルタ収納部２０と、冷却ファン１１２ａ、１１２ｂ（ここでは図示せず）と、ダクト１１３とが、照明光学系の主要部品である液晶パネル１２２ｃ、１２２ｂ、１２２ａ及びクロスプリズム（ここでは図示せず）に対し、どのように配置されているかを示すための、具体的な実施例を示す図である。
【００２９】
装置外部から吸い込まれる空気に含まれる塵埃を、集塵フィルタ収納部２０の内部に収めた塵埃除去フィルタ（ここでは図示せず）により集めて装置内部に取り込み、冷却ファン１１２ａ、１１２ｂ（ここでは図示せず）により、ダクト１１３を通して送風し、照明光学系の主要部品を冷却する。ここで、塵埃除去フィルタ（ここでは図示せず）は空気中に浮遊する塵埃のうち、比較的粒径の大きい塵埃を集塵する。
【００３０】
しかしながら、塵埃除去フィルタは全ての塵埃を集塵できる訳ではなく、粒径の小さい塵埃は塵埃除去フィルタを通過し装置内に吸引される。また、光学エンジン内の光学部品には、光源の熱によって温度が上昇するため、性能を長期間維持するため、特に冷却しなければならない光学部品がある。
【００３１】
図４は、本実施の形態の投写型映像表示装置内部の冷却風の流れを示す斜視図である。図中の冷却風Ｓは、図３で示す塵埃除去フィルタ１を通過した空気を、冷却ファン冷却ファン１１２ａ、１１２ｂ（ここでは図示せず）と、ダクト１１３によって導き、照明光学系の主要部品である液晶パネル１２２ｃ、１２２ｂ、１２２ａ及びクロスプリズム（ここでは図示せず）、偏光板（ここでは図示せず）を冷却する冷却風を示す。
【００３２】
また、冷却風Ｓの一部Ｓ１は冷却ファン７００に吸引され、ダクト７１０によって、図２に記載の光源ユニット１０１を冷却する冷却風Ｒと、偏光変換素子１０４を冷却する冷却風Ｐとに分光される。
【００３３】
図５は、本実施の形態の投写型映像表示装置の光学エンジンケース内の偏光変換素子周辺及び光源ユニットの冷却風の流れを示す斜視図である。ダクト７１０は冷却風を分離するため、（ここでは図示しないが）２方向に別れた流路を構成している。光源ユニット１０１を冷却する冷却風Ｒは、ダクト７１０と通って、光源ユニットの吸気用開口部（ここでは図示しない）から光源ユニット内に吹き入れされ、バルブを冷却した後、光源ユニットの排気口（ここでは図示しない）から排出される。
【００３４】
図６は、本実施の形態の投写型映像表示装置の光学エンジンケース内の偏光変換素子周辺及び光源ユニットの冷却風の流れを示す断面図である。ダクト７１０によって導かれた冷却風Ｐは、偏光変換素子１０４を冷却するため、光学エンジンケース下面開口部５２０から光学エンジンケース内に吹き入れられ、偏光変換素子１０４と重畳レンズ１０５の間を通過し、光学エンジンカバー５５０の開口部５７０から排出される。
【００３５】
光学エンジンカバーの開口部５７０は、光学エンジンケース５００外へ光が直接漏れないように、偏光変換素子１０４と重畳レンズ１０５の間の冷却風の進路上からオフセットした位置に配置されている。従って冷却風Ｐは、一旦光学エンジンカバー５５０の内壁に当たった後、開口部５７０から排出される。
【００３６】
冷却風Ｐはまた、光学エンジンカバー５５０の内壁に当たった後、光学エンジンカバー５７０と重畳レンズ１０５の隙間から光学エンジンケース５００内のダイクロイックミラー１０７ａ側に漏れ込み、流れＱを作り出す。
【００３７】
次に、塵埃が光学エンジンケース内の光学部品に付着するメカニズムについて説明する。塵埃除去フィルタを通過した塵埃は、粒子径が小さく（Φ１０ミクロン以下）、冷却風Ｓから冷却風Ｐ、Ｒへと運ばれてゆく。一般的に、光学部品の表面を通過する風速が大きいと塵埃は付着し難く、風速が小さいほど付着し易い。従って、冷却風が通過する光学部品、液晶パネルや偏光板、偏光変換素子や重畳レンズなどは塵埃は付着し難いといえる。
【００３８】
しかしながら、冷却風が通過する光学部品の周辺では、光学部品の隙間から冷却風が漏れ進むために、非常に風速の小さい流れ（例えば図６の流れＱ）が発生する。また、風速の小さい流れは粒子径が非常に小さい（Φ1ミクロン以下）塵埃を運ぶことが可能なため、冷却風が通過する光学部品周辺の光学部品まで塵埃が付着してしまうことが検証で確認された。
【００３９】
また、偏光変換素子１０４を冷却するため、冷却風を光学エンジンケース内に取り入れる構造上、前記のように冷却風が偏光変換素子１０４の周辺の光学エンジンケース内に漏れ込む。塵埃試験による検証では、図２の重畳レンズ１０５の光出射面、ダイクロイックミラー１０７ａの入出射面（入射面、出射面）、ダイクロイックミラー１０７ｂの入射面、コンデンサレンズ１０８ａの入射面の汚れが大きいことが判明している。
【００４０】
これを解決するため、光学エンジンケース５００内の前記汚れの大きい光学部品で囲まれた領域（図２の領域Ｗ）内の光学エンジンケース内壁に排気用開口部８００（図４、図５、図６に示す）を設けることによって、流れＱの風速を大きくすることができ、実験を行うことによって、領域Ｗを形成する光学部品の内面側の汚れが低下することが確認された。
【００４１】
前述の実験を行った結果から、領域Ｗ内に設ける排気用開口部８００寸法は、ダイクロイックミラー１０７ａの高さ寸法をＨ0、ダイクロイックミラー１０７ａ−１０７ｂ間寸法をＬ0とした時、排気用開口部の幅寸法Ｌ1、高さ寸法Ｈ1は以下の数（１）、数（２）とする。
【００４２】
Ｌ0／３  ≦  Ｌ1  ≦  Ｌ0              （１）
Ｈ0／３  ≦  Ｈ1  ≦  Ｈ0／２          （２）
また、図２では、排気用開口部８００は、第１のダイクロイックミラーであるダイクロイックミラー１０７ａの近傍に設けられるものとなっている。また、図６では、前記光学エンジンケースの側面であって、前記光学エンジンケースの下面側に排気用開口部８００を設けるように示されている。これらは、前述の実験によって、領域Ｗを形成する光学部品の内面側の汚れが低下することが確認された位置である。
【００４３】
しかしながら、前述の更なる実験によって、図６において、前記光学エンジンケースの側面であって、前記光学エンジンケースの上面側に排気用開口部８００を設けるものであっても、効果が得られることを確認したので、当該箇所に前記排気用開口部８００を設けるものであっても良い。（当該箇所は、図２、図６においては、例示していない。）
なお、前記図６にて説明をしている、「上面」、若しくは、「上側」について、確認的に説明をする。
【００４４】
図６は、図５の断面図であり、図５は、図１に示す投写型表示装置の内部に配置される光学エンジンケース内の偏光変換素子周辺及び光源ユニットを示す。
【００４５】
従って、図１に示す投写型表示装置を、一般的な使用形態である、例えば水平な台などに置かれた場合での垂直（若しくは、鉛直）方向においての上に向かう向きを前記図６での、「上側」というものとする。よって、図６での「上面」とは、「上側」にある面となる。
【００４６】
この関係から、垂直（若しくは、鉛直）方向においての下に向かう向きを前記図６での、「下側」というものとする。よって、図６での「下面」とは、「下側」にある面となる。
【００４７】
投写型表示装置は、図１に例示するような水平に配置して使用されるのが一般的であると言える。しかしながら、１８０度回転させて、天井から吊下げて使用する場合、９０度回転させる、所謂縦置きして使用される場合もある為、その場合には、適宜、投写型表示装置を回転させた角度を考慮、補正して、前述の「上側」「下側」「上面」「下面」を解釈するものとする。
【００４８】
また、図２では、前記排気用開口部８００が、前記筐体１の背面に対面するように示されている。これは、別の言い方をすると、光源ユニットケース６００に保持された光源ユニット１０１から出射した光束の光軸に対して、液晶パネル１２２ａ、１２２ｂ、１２２ｃ、色合成されクロスプリズム１１１、または投写レンズ１２０から遠ざかり、それらが配置されていない側の前記光学エンジンケースの壁に設けるものとして、示されている。
【００４９】
しかしながら、図２において、光源ユニットケース６００に保持された光源ユニット１０１から出射した光束の光軸に対して、液晶パネル１２２ａ、１２２ｂ、１２２ｃ、色合成されクロスプリズム１１１、または投写レンズ１２０に近づき、それらが配置されている側の前記光学エンジンケースの壁に設けるものであっても良い。
【００５０】
但し、その場合は、前記排気用開口部８００からの流れＱが、液晶パネル１２２ａ、１２２ｂ、１２２ｃ、色合成されクロスプリズム１１１、または投写レンズ１２０などの光学部品に流れることに対しては、留意する必要がある。なぜならば、この場合には、前記排気用開口部８００からの流れＱに埃などが含まれる場合もある為、当該埃による汚れなどについて、または前記光学部品の冷却効率に留意する必要があるからである。
【００５１】
繰り返しとなるが、前記図２、図４、図５、図６に示した実施例は、光学エンジンケースの側面に排気用開口部を設けた例であるが、これらの実施例についてだけではなく、前記排気用開口部８００を設ける位置については、光学エンジンケース上面または下面に排気用開口部を設ける場合や、前述している位置に設けた場合（図２、図４、図５、図６に示されていない）においても、実験によって同様の効果を得られることも確認済みである。
【００５２】
光学エンジンケース５００の排気用開口部８００を設けると、内部の光が漏れる。排気用開口部８００は筐体１の背面に対面しているため、特に背面に端子用のコネクタ（図示しない）がある場合には、コネクタの隙間などから筐体の外部に光が漏れ、装置の品位を落とすことになる。そこで図２に示すように、排気用開口部８００と筐体背面との間に遮光板９００を配置する。遮光板は光透過率の小さいものであり、筐体に直接、ネジなどで取り付ける構造と、端子板用の基板や保持ベース（図示しない）に取り付けても良い。
【００５３】
以上に述べた構成の本発明の実施例である投写型映像表示装置では、光学エンジンケース内の特定の領域、つまり光源である白色光から第一色を分光するダイクロイックミラーと、第一色を分光した後、第二色と第三色に分光するダイクロイックミラーと光学エンジンケースとで囲まれた領域内において、光学エンジンケース壁面に開口部を設け、光学エンジンケース内に進入する冷却風を排出させる手段を設けることによって、塵埃が塵埃除去フィルタを通過して光学部品を保持する光学エンジンケース内へ進入しても、流速を落とすことなく光学エンジンケース外から装置外へスムースに冷却風を排出することが出来るため、光学部品への塵埃付着を防止でき、スクリーン上の輝度低下を防ぐことが出来るので、長時間、良好な性能が維持できる。
【００５４】
以上のように、本発明に基づく実施の形態によれば、液晶パネルと照明光学系をその筐体内部に具備し、照明光学系により得られた光束を液晶パネルにより変調してスクリーン上に映像を投影する投写型映像表示装置、例えば、液晶プロジェクタ装置や、反射式映像表示プロジェクタ装置であって、光学エンジンケース内部の特定の光学部品に塵埃が付着するのを防止し、投写映像の品位悪化を防ぎ、映像の輝度低下を防止させることができるため、長時間、良好な性能が維持できる投写型映像表示装置及び光学エンジンケースを提供することが可能となる。
【符号の説明】
【００５５】
１…フィルタ，１０…投写型映像表示装置（筐体），１１…ランプ取り外し部、１２…冷却風取り込み口、１３…カバー、２０…塵埃除去フィルタ収納部，１０１…光源ユニット、１０２…ＵＶカットフィルタ、１０３ａ,１０３ｂ…マルチレンズアレイ、１０４…偏光変換素子、１０５…重畳レンズ、１０６ｂ,１０６ｃ,１０６ｄ…全反射ミラー、１０７ａ,１０７ｂ…ダイクロイックミラー、１０８ａ,１０８ｂ,１０８ｃ…コンデンサレンズ、１０９,１１０…リレーレンズ、１１１…クロスプリズム，１１２ａ,１１２ｂ…冷却ファン，１１３…ダクト，１２０…投写レンズ、１２２ａ,１２２ｂ,１２２ｃ…液晶パネル、５００…光学エンジンケース、５２０…光学エンジンケース下面開口部、５５０…光学エンジンカバー、５７０…光学エンジンカバー開口部、６００…光源ユニットケース、７００…冷却ファン、７１０…ダクト、８００…排気用開口部、９００…遮光板、Ｐ,Ｒ…冷却風、Ｑ…流れ、Ｗ…領域、Ｌ0,Ｌ1,Ｈ0,Ｈ1…寸法
【図１】
2010250077.tif 000003
【図２】
2010250077.tif 000004
【図３】
2010250077.tif 000005
【図４】
2010250077.tif 000006
【図５】
2010250077.tif 000007
【図６】
2010250077.tif 000008